(57)【要約】【課題】ボウリングにおいて子供や初心者でも高得点を出せ、娯楽性を向上させるためのボウリング用器具を提供することを目的とする。【解決手段】ボウリング用器具１は、レーンＬのピンスポットの手前の所定区間に配され、レーンＬの両側からそれぞれ、レーンＬの長手方向においてピンスポットに近づくほどレーンＬの幅方向の中心に突出してボールをピンスポットに誘導するガイドバー２と、分離帯Ｓに固定される支持部材３と、支持部材３とガイドバー２とを連結するアーム４とを備える。これによれば、ボールがピンスポットから外れた位置に向かって転がっていても、ピンスポット手前のガイドバー２によりボールの進行方向をピンスポットに誘導することができる。このため、子供や初心者でも高得点を出せ、娯楽性を向上させることができる。【選択図】図２
0003161799.tif 000002
【実用新案登録請求の範囲】
【請求項１】
レーンと、
前記レーンの両側に設けられるガターと、
前記ガターの両側に設けられてプレイ領域を仕切る分離帯と、
前記レーンのアプローチ側の端部からピンスポット近傍までに渡って前記ガターへのボールの脱落を防止するガター防止機構とを備えるボウリング装置に用いられ、
前記ピンスポットの手前の所定区間に配され、
前記レーンの両側からそれぞれ、前記レーンの長手方向において前記ピンスポットに近づくほど前記レーンの幅方向の中心に突出してボールを前記ピンスポットに誘導するガイドバーと、
前記分離帯に固定される支持部材と、
前記支持部材と前記ガイドバーとを連結するアームとを備えるボウリング用器具。
【請求項２】
請求項１に記載のボウリング用器具において、
前記アームは、前記支持部材に対して、前記レーンの長手方向に沿う回転軸周りに回動自在に連結されていることを特徴とするボウリング用器具。
【請求項３】
請求項１または２に記載のボウリング用器具において、
前記アームは、前記アームの長さを調節するアーム長調節機構を有することを特徴とするボウリング用器具。
【請求項４】
請求項１〜３に記載のボウリング用器具において、
前記アームは前記ガイドバーにボールが衝突した際の衝撃を吸収するダンパ機能を有していることを特徴とするボウリング用器具。
【請求項５】
請求項４に記載のボウリング用器具において、
前記アームは、前記ガイドバーに固着される第１アームと、前記支持部材に固着される第２アームとを有し、
前記第１アームは、前記第２アームに対して前記アームの突出方向にスライド可能に設けられており、前記第１アームと前記第２アームとの間にコイルバネが設けられることにより前記ダンパ機能を構成することを特徴とするボウリング用器具。
【請求項６】
請求項５に記載のボウリング用器具において、
前記コイルバネの長さを調節するバネ長調節機構を有することを特徴とするボウリング用器具。
【考案の詳細な説明】
【技術分野】
【０００１】
本考案は、ボウリングレーンのピンスポットの手前に装着して、ピンスポットへのボールの誘導をするボウリング用器具に関する。
【背景技術】
【０００２】
従来より、子供や初心者でも得点を出せるように、ガターにボールが脱落するのを防止するための機構が開示されている。例えば、ボウリングレーン用サイドバンパーや、ガターの底壁をせり上げるとともにレーンとガターとの間に壁を設けるガター防止機構がある（特許文献１〜３参照）。
【０００３】
しかし、これらのガター防止機構は、レーンのアプローチ側端部からピンスポットの手前にわたりボールがガターに脱落しないようにするものが一般的であるが、ガター防止機構があっても、ボールの進行方向によっては、ボールがピンスポットに向かわず無得点となる場合がある。
このため、ガター防止機構があっても、子供や初心者は高得点を取れないことがある。
【先行技術文献】
【特許文献】
【０００４】
【特許文献１】実用新案登録第３０４４５０１号公報
【特許文献２】特開２００７−１４５１１号公報
【特許文献３】実用新案登録第３０４６８５５号公報
【考案の概要】
【考案が解決しようとする課題】
【０００５】
本考案は、上記の問題点を解決するためになされたものであり、ボウリングにおいて子供や初心者でも高得点を出せ、娯楽性を向上させるためのボウリング用器具を提供することを目的とする。
【課題を解決するための手段】
【０００６】
〔請求項１の手段〕
請求項１に記載のボウリング用器具は、レーンと、レーンの両側に設けられるガターと、ガターの両側に設けられてプレイ領域を仕切る分離帯と、レーンのアプローチ側の端部からピンスポット近傍までに渡ってガターへのボールの脱落を防止するガター防止機構とを備えるボウリング装置に用いられる。
【０００７】
そして、ボウリング用器具は、レーンのピンスポットの手前の所定区間に配され、レーンの両側からそれぞれ、レーンの長手方向においてピンスポットに近づくほどレーンの幅方向の中心に突出してボールをピンスポットに誘導するガイドバーと、分離帯に固定される支持部材と、支持部材とガイドバーとを連結するアームとを備える。
【０００８】
これによれば、ボールがピンスポットから外れた位置に向かって転がっていても、ピンスポット手前のガイドバーによりボールの進行方向をピンスポットに誘導することができる。
このため、子供や初心者でも高得点を出せ、娯楽性を向上させることができる。
また、このボウリング用器具は、レーンのアプローチ側端部からピンスポットまでのほぼ全長に渡って設置されるのではなく、ピンスポットの手前の所定区間にのみ設置されるためコストを低く抑えることができる。
【０００９】
〔請求項２の手段〕
請求項２に記載のボウリング用器具によれば、アームは、支持部材に対して、レーンの長手方向に沿う回転軸周りに回動自在に連結されている。
これによれば、例えば、レーン上にガイドバーが不要な場合にアームをレーンに対して垂直に起こすことで、ガイドバー及びアームをレーンの両側に収納することができる。
【００１０】
〔請求項３の手段〕
請求項３に記載のボウリング用器具によれば、アームは、アームの長さを調節するアーム長調節機構を有する。
【００１１】
これによれば、アームの長さを変えることで、アームに保持されたガイドバーのレーン幅方向における位置を変えることができる。このため、ガイドバーの位置を変えてピンスポットへの誘導精度を任意に変えることにより、ピンスポットへボールを到達させる難易度を変えることができる。
【００１２】
〔請求項４の手段〕
請求項４に記載のボウリング用器具によれば、アームはガイドバーにボールが衝突した際の衝撃を吸収するダンパ機能を有している。
これによれば、ボールがガイドバーに強い力で衝突した場合でも、その衝撃をアームで吸収することで、ボウリング用器具やボールの損傷を防ぐことができる。
【００１３】
〔請求項５の手段〕
請求項５に記載のボウリング用器具によれば、アームは、ガイドバーに固着される第１アームと、支持部材に固着される第２アームとを有し、第１アームは、第２アームに対してアームの突出方向にスライド可能に設けられており、第１アームと第２アームとの間にコイルバネが設けられることによりダンパ機能を構成する。
これは、請求項４のダンパ機能の構造の一態様であり、請求項４と同様の作用効果を奏する。
【００１４】
〔請求項６〕
請求項６に記載のボウリング用器具によれば、コイルバネの長さを調節するバネ長調節機構を有する。
これによれば、ばね力を調節してダンパの制動力を任意に可変することができる。
【図面の簡単な説明】
【００１５】
【図１】ボウリング装置に装着されたボウリング用器具の平面図である（実施例１）。
【図２】（ａ）は、ボウリング装置に装着されたボウリング用器具の拡大平面図であり、（ｂ）は（ａ）のＡ−Ａ断面図である（実施例１）。
【図３】（ａ）はボウリング用器具収納時の拡大平面図であり、（ｂ）は（ａ）のＡ−Ａ断面図である（実施例１）。
【図４】（ａ）はガイドバーの断面図およびアームの側面図であり、（ｂ）は（ａ）のＢ−Ｂ断面図であり、（ｃ）はガイドバーにボールが衝突した際のダンパ作用の様子を説明する図である（実施例１）。
【図５】（ａ）はアーム長調節機構を説明する図であり、（ｂ）はアーム長を変えた場合のボウリング用器具の様子を説明する図である（実施例１）。
【図６】（ａ）は従来のガター防止機構のみを用いた場合のボールの経路の一例を示す図であり（従来例）、（ｂ）はボウリング用器具を用いた場合のボールの経路の一例を示す図である（実施例１）。
【図７】バネ長調節機構を説明する図である（実施例２）。
【考案を実施するための形態】
【００１６】
本考案を実施するための形態１のボウリング用器具は、レーンと、レーンの両側に設けられるガターと、ガターの両側に設けられてプレイ領域を仕切る分離帯と、レーンのアプローチ側の端部からピンスポット近傍までに渡ってガターへのボールの脱落を防止するガター防止機構とを備えるボウリング装置に用いられる。
【００１７】
そして、レーンのピンスポットの手前の所定区間に配され、レーンの両側からそれぞれ、レーンの長手方向においてピンスポットに近づくほどレーンの幅方向の中心に突出してボールをピンスポットに誘導するガイドバーと、分離帯に固定される支持部材と、支持部材とガイドバーとを連結するアームとを備える。
【００１８】
そして、アームは、支持部材に対して、レーンの長手方向に沿う回転軸周りに回動自在に連結されている。
また、アームは、アームの長さを調節するアーム長調節機構を有するとともに、ガイドバーにボールが衝突した際の衝撃を吸収するダンパ機能を有している。
【００１９】
具体的には、アームは、ガイドバーに固着される第１アームと、支持部材に固着される第２アームとを有し、第１アームは、第２アームに対してアームの突出方向にスライド可能に設けられており、第１アームと第２アームとの間にコイルバネが設けられることによりダンパ機能を構成する。
【００２０】
本考案を実施するための形態２のボウリング用器具は、コイルバネの長さを調節するバネ長調節機構を有する。
【実施例】
【００２１】
〔実施例１の構成〕
実施例１のボウリング用器具１の構成を、図１ないし図６を用いて説明する。
ボウリング用器具１は、レーンＬと、レーンＬの両側に設けられるガターＧと、ガターＧの両側に設けられる分離帯Ｓと、レーンＬのアプローチＡ側の端部からピンスポットＰ近傍までに渡ってガターＧへのボールの脱落を防止するガター防止機構Ｂとを備えるボウリング装置に用いられる。
【００２２】
レーンＬは、プレーヤーが投球するアプローチＡから延びて設けられており、反アプローチ側の端部には、ピンを配置するピンスポットＰが設けられている。
レーンＬの両側にはガターＧが設けられており、ガターＧの両側には、上面がレーンＬの床面よりも高くされた分離帯Ｓが設けられている。複数のレーンＬが並ぶ場合、分離帯Ｓによって隣接するガターＧが仕切られることによって、レーンＬ毎にプレイ領域が仕切られる。
そして、ガターＧには、ガター防止機構Ｂが設けられている。
【００２３】
本実施例では、ガター防止機構Ｂとして、ガターＧの樋状を形成する壁を上方に起こすとともに、ガターＧとレーンＬとの間に隔壁Ｂ１を生じさせる周知のタイプを用いている（図２（ｂ）参照。二点鎖線はガター防止機構Ｂを用いない状態でのガターＧを示す）。
ガター防止機構Ｂは、本実施例のものに限らず、例えばガターＧに蓋をするタイプのもの、ガターＧとレーンＬとの間にサイドバンパーを設けるタイプ等であってもよい。
そして、ボウリング用器具１は、レーンＬのピンスポットＰの手前の所定区間に装着される。
【００２４】
ボウリング用器具１は、ボールをピンスポットＰに誘導するガイドバー２と、分離帯Ｓに固定されてそれぞれのガイドバー２をレーンＬ上に支持する支持部材３と、支持部材３とガイドバー２とを連結するアーム４とを備える。
【００２５】
ガイドバー２は、スチール製のパイプ２１の外周にクッションカバー２２を装着してなっており、レーンＬの両側でそれぞれ、ガターＧの内側でレーンＬの長手方向に沿うように設けられている。
【００２６】
具体的には、レーンＬの長手方向においてピンスポットＰに近づくほどレーンＬの幅方向の中心に突出するように設けられている。すなわち、両側のガイドバー２の間隔がピンスポットＰに向かう程狭くなるようにハの字状に設けられている（図１、図２（ａ）参照）。
なお、クッションカバー２２は少なくともボールが衝突する可能性のある部位に装着されていればよい。
【００２７】
ガイドバー２は、分離帯Ｓに保持された２本のアーム４により保持されている（図２（ａ）参照）。
アーム４は、レーンＬの幅方向に平行、且つ、レーンＬの床面に水平となるように支持部材３に保持されている。また、ガイドバー２の配置態様に合わせて、ピンスポット側のアーム４が長く、反ピンスポット側のアーム４は短くなっているが、ピンスポット側のアーム４も反ピンスポット側のアーム４も同様の構造をしている。
【００２８】
アーム４は、分離帯Ｓの上面に螺子３１によって固定された断面Ｌ字状の支持部材３によって保持されている（図２（ｂ）参照）。
支持部材３は、高さ方向においてガター防止機構Ｂと干渉しないようにアーム４を保持する高さに設定されている。
【００２９】
アーム４と支持部材３とは蝶番３２により連結されており、レーンＬの長手方向に沿う回転軸周りに回動自在となっている。
すなわち、ガイドバー２をレーン上に配置したい場合には、アーム４をレーンＬの床面に対して水平となる位置にし、ガイドバー２をレーン上に配置したくない場合には、アーム４を回動させ、レーンＬの床面に対して略垂直となるようにし、ガイドバー２をレーンＬの両側に収納することができる（図３（ａ）、（ｂ）参照）。
【００３０】
また、本実施例のアーム４は、ダンパ機能を有している。すなわち、アーム４は、ガイドバー２に固着される第１アーム４１と、支持部材３に固着される第２アーム４２とを有し、第１アーム４１は、第２アーム４２に対してアーム突出方向にスライド可能に設けられており、第１アーム４１と第２アーム４２との間にコイルバネ４３が設けられることによりダンパを構成している（図４（ａ）参照）。
【００３１】
第１アーム４１は、スチール製のパイプで形成されており、ガイドバー２のパイプ２１に溶接により固着されている。
第２アーム４２は、蝶番３２を介して支持部材３に固着された下板部４４と、下板部４４上に垂直に設けられた側板部４５、４６とを有する。
【００３２】
側板部４５と側板部４６とは、アーム突出方向において所定距離を隔てて設けられており、側板部４５、４６には第１アーム４１が摺動可能もしくは遊挿可能な穴４７が設けられている。
そして、側板部４５、４６に第１アーム４１を挿通することで、第１アーム４１は、第２アーム４２に対してアーム突出方向にスライド可能に設けられる。
なお、２つの側板部４５、４６の上部には、２つの側板部４５、４６を架橋する上板部４８が設けられている。
【００３３】
そして、側板部４５、４６と上板部４８と下板部４４に囲まれた第１アーム４１の周囲にコイルバネ４３が設けられ、コイルバネ４３の一端が第１アーム４１の鍔部５０に保持され、コイルバネ４３の他端が側板部４６に保持される。
なお、側板部４５と側板部４６との間の距離がコイルバネ４３の自然長よりも短い場合には、コイルバネ４３がガイドバー２からの外力により圧縮する前の状態において、鍔部５０と側板部４５は当接している。
【００３４】
これにより、ガイドバー２にボールが衝突した場合、第１アーム４１が分離帯側に移動することによってコイルバネ４３が圧縮されることで衝撃を吸収する（図４（ｃ）参照。上図が衝突前、下図が衝突時を示す）。
【００３５】
なお、第１アーム４１の鍔部５０は、コイルバネ４３の一端側にワッシャ５１を配し、第１アーム４１の径方向に貫通する貫通穴５３にスナップピン５２を挿入してコイルバネ４３とスナップピン５２との間にワッシャ５１を挟むことによって形成されている（図４（ａ）、（ｂ）参照）。これにより鍔部５０は、第１アーム４１の移動に伴い、コイルバネ４３を押圧する。
【００３６】
また、アーム４は、アーム４の長さを調節するアーム長調節機構を有する。
第１アーム４１には、第１アーム４１の軸方向に複数個の貫通穴５３が等間隔に設けられており、スナップピン５２を挿入する貫通穴５３を変えることで第２アーム４２から突出する第１アーム４１の長さを変えることができ、結果としてアーム４の長さを変えることができる（図５（ａ）参照）。
【００３７】
なお、アーム長調節の仕方は、以下の通りである。
まず、スナップピン５２を貫通穴５３から抜き、第１アーム４１をスライドさせて第１アーム４１の突出量を変える。
そして、コイルバネ４３の一端側に別の貫通穴５３が位置したところで、スナップピン５２をその貫通穴５３に挿入し、第１アーム４１を固定する。
【００３８】
これにより、アーム４の長さを変えることで、ガイドバー２のレーン幅方向における位置を変えることができる。例えば、図５（ａ）のようにして両側のガイドバー２それぞれのアーム４を長くするなら、図５（ｂ）の二点鎖線で示すように、ガイドバー２同士の距離を狭めることができ、ピンスポットＰへの誘導がさらにしやすくなる。
【００３９】
〔実施例１の効果〕
実施例１のボウリング用器具１は、レーンＬのピンスポットＰの手前の所定区間に配され、レーンＬの両側からそれぞれ、レーンＬの長手方向においてピンスポットＰに近づくほどレーンＬの幅方向の中心に突出してボールをピンスポットＰに誘導するガイドバー２と、分離帯Ｓに固定される支持部材３と、支持部材３とガイドバー２とを連結するアーム４とを備える。
【００４０】
これによれば、ボールがピンスポットＰから外れた位置に向かって転がっていても、ピンスポットＰ手前のガイドバー２によりボールの進行方向をピンスポットＰに誘導することができる。
【００４１】
ガター防止機構Ｂを用いるだけの場合、ボールがピンスポットＰの手前でピンスポットＰの脇に向かって進行してしまった際に、ボールがそのままピンスポットＰから外れてしまい、無得点となる場合がある（図６（ａ）参照）。
一方、ボウリング用器具１を用いた場合は、ボールがピンスポットＰ手前でピンスポットＰの脇に向かって進行してしまっても、ボールはガイドバー２に当たることで進行方向を変え、ボールがピンスポットＰに誘導されやすくなる（図６（ｂ）参照）。
【００４２】
このため、子供や初心者がプレイしても高得点を出しやすくなり、娯楽性を向上させることができる。
また、このボウリング用器具１は、レーンＬのアプローチＡ側の端部からピンスポットＰまでのほぼ全長に渡って設置されるのではなく、ピンスポットＰの手前の所定区間にのみ設置されるためコストを低く抑えることができる。
【００４３】
また、実施例１のボウリング用器具１では、アーム４が支持部材３に対して回動自在に連結されている。
これによれば、例えば、レーンＬ上にガイドバー２が不要な場合にアーム４をレーンＬに対して垂直に起こすことで、ガイドバー２及びアーム４をレーンＬの両側に収納することができる。
【００４４】
また、実施例１のボウリング用器具１には、アーム長調節機構が設けられている。
これによれば、アーム４の長さを変えることで、アーム４に保持されたガイドバー２のレーン幅方向における位置を変えることができる。このため、ガイドバー２の位置を変えてピンスポットＰへの誘導精度を任意に変えることにより、ピンスポットＰへボールを到達させる難易度を変えることができる。
【００４５】
また、実施例１のボウリング用器具１では、アーム４がダンパ機能を有している。
これによれば、ボールがガイドバー２に強い力で衝突した場合でも、その衝撃をアーム４で吸収することで、ボウリング用器具１やボールの損傷を防ぐことができる。
【００４６】
〔実施例２の構成〕
実施例２のボウリング用器具１の構成を、図７を用いて説明する。
本実施例のボウリング用器具１は、アーム４は、アーム長調節機構を有するとともに、アーム４のダンパに用いられるコイルバネ４３の長さを調節してばね力を調整するためのバネ長調節機構を有する。
【００４７】
バネ長調節機構は、コイルバネ４３の他端と側板部４６との間にスペーサ５５を設けることにより構成されている（図７下図参照）。このスペーサ５５の厚さを様々に変えることで、コイルバネ４３がガイドバー２からの外力により圧縮する前の状態におけるコイルバネ４３の長さを変えることができる。
これにより、ばね力を調節してダンパの制動力を任意に可変することができる。
なお、アーム調節機構は、実施例１と同様である。
【００４８】
〔変形例〕
ボウリング用器具１の態様は、実施例に限定されず、様々な変形例を考えることができる。例えば、実施例１のアーム長調節機構は、第２アーム４２から突出する第１アーム４１の長さを変えることによるものであったが、例えば、第１アーム４１を入れ子パイプによる多段伸縮式にして、第１アーム４１自体の長さが可変となるようにしてもよい。また、第２アーム４２に多段伸縮部を設けることによって、第２アーム４２の長さを可変としてもよい。
【００４９】
また、実施例２のバネ長調節機構は、スペーサ５５の厚さを変えるものであったが、スペーサ５５の位置を変えるものであってもよいし、側板部４６の位置をアーム突出方向に移動可変として任意の位置で上板部４８または下板部４４（もしくは、上板部４８と下板部４４の両方）に固定することで、コイルバネ４３の長さを調節してもよい。
【００５０】
また、実施例１、２では、アーム４がダンパ機能を有していたが、ダンパ機能を有していなくてもよい。例えば、子供のみがプレイをする場合などでボールが強い力で衝突することがない場合、ダンパ機能がなくてもボウリング用器具やボールの損傷を招く虞は低いからである。また、ガイドバー２のクッションカバー２２のみである程度の衝撃を吸収することができる。
【符号の説明】
【００５１】
１    ボウリング用器具
２    ガイドバー
３    支持部材
４    アーム
４１  第１アーム
４２  第２アーム
４３  コイルバネ
Ｌ    レーン
Ｇ    ガター
Ｓ    分離帯
Ａ    アプローチ
Ｐ    ピンスポット
Ｂ    ガター防止機構
【図１】
0003161799.tif 000003
【図２】
0003161799.tif 000004
【図３】
0003161799.tif 000005
【図４】
0003161799.tif 000006
【図５】
0003161799.tif 000007
【図６】
0003161799.tif 000008
【図７】
0003161799.tif 000009
【手続補正書】
【提出日】平成22年6月7日(2010.6.7)
【手続補正１】
【補正対象書類名】実用新案登録請求の範囲
【補正対象項目名】請求項４
【補正方法】変更
【補正の内容】
【請求項４】
請求項１〜３のいずれか１つに記載のボウリング用器具において、
前記アームは前記ガイドバーにボールが衝突した際の衝撃を吸収するダンパ機能を有していることを特徴とするボウリング用器具。